(57)【要約】【課題】高コントラストで高輝度のＰＤＰを実現する。【解決手段】少なくとも光遮蔽部となるブラックストライプ２５とブラックストライプ２５を覆う誘電体層２６とを形成した前面板２０と、少なくとも隔壁を形成した背面板とを対向配置して内部に隔壁により仕切られた放電空間を形成し、それぞれの放電空間には赤色、緑色、青色に発光する第１蛍光体層を備え、ブラックストライプ２５に対応する誘電体層２６の上に第１蛍光体層のうちの少なくとも一つと同色に発光する第２蛍光体層２８を設けている。【選択図】図２
2006351262.tif 000002
【特許請求の範囲】
【請求項１】
少なくとも光遮蔽部と前記光遮蔽部を覆う誘電体層とを形成した前面板と、少なくとも隔壁を形成した背面板とを対向配置して内部に前記隔壁により仕切られた放電空間を形成するとともに、前記光遮蔽部に対応する前記誘電体層の上に第１蛍光体層のうちの少なくとも一つと同色に発光する第２蛍光体層を設けたことを特徴とするプラズマディスプレイパネル。
【請求項２】
前記前面板は前記誘電体層を覆って誘電体保護膜を備え、前記第２蛍光体層を前記誘電体保護膜の上に設けたことを特徴とする請求項１に記載のプラズマディスプレイパネル。
【請求項３】
前記第２蛍光体層が青色に発光する蛍光体層であることを特徴とする請求項１または請求項２に記載のプラズマディスプレイパネル。
【請求項４】
前記前面板は透明電極と前記透明電極上に形成されたバス電極よりなる複数の表示電極対を備えるとともに、前記表示電極対の間にブラックストライプを備え、前記光遮蔽部が前記ブラックストライプと前記バス電極のうちの少なくとも一つであることを特徴とする請求項１から請求項３のいずれかに記載のプラズマディスプレイパネル。
【請求項５】
前記第２蛍光体層を前記誘電体層上に設けるとともに、前記第１蛍光体層と異なる発光色の前記第２蛍光体層を覆って誘電体保護膜を設けたことを特徴とする請求項１、請求項３または請求項４のいずれかに記載のプラズマディスプレイパネル。
【請求項６】
前記隔壁を列方向または行方向の少なくとも一つの方向に形成し、前記第２蛍光体層を前記隔壁が前記前面板と接触しない領域に形成したことを特徴とする請求項１から請求項５のいずれかに記載のプラズマディスプレイパネル。
【請求項７】
前記隔壁を高さの異なる列方向隔壁と行方向隔壁とにより形成し、前記第２蛍光体層を前記隔壁が前記前面板と接触しない領域に形成したことを特徴とする請求項６に記載のプラズマディスプレイパネル。
【発明の詳細な説明】
【技術分野】
【０００１】
本発明は表示デバイスとして知られているプラズマディスプレイパネルに関するものである。
【背景技術】
【０００２】
近年、双方向情報端末として大画面、壁掛けテレビへの期待が高まっており、そのための表示デバイスとして、液晶表示パネル、フィールドエミッションディスプレイ、エレクトロルミネッセンスディスプレイなどの数多くのものがある。これらの表示デバイスの中でもプラズマディスプレイパネル（以下、ＰＤＰと呼ぶ）は、自発光型で美しい画像表示ができて大画面化が容易であるなどの理由から、視認性に優れた薄型表示デバイスとして注目されており、高精細化および大画面化に向けた開発が進められている。
【０００３】
ＰＤＰには、大別して、駆動方式としてＡＣ型とＤＣ型があり、放電形式では面放電型と対向放電型の２種類があるが、高精細化、大画面化および製造の簡便性から現状ではＡＣ型で面放電型のＰＤＰが主流を占めるようになってきている。
【０００４】
ＰＤＰは、電極、誘電体層、隔壁、蛍光体層、ＭｇＯによる保護層などの構成物をそれぞれ形成した前面板と背面板とを、内部に微小な空間（放電空間）を形成するように対向配置するとともに周囲を封着部材により封止している。放電空間にネオンおよびキセノンなどを混合してなる放電ガスを、例えば６６５００Ｐａ（約５００Ｔｏｒｒ）程度の圧力で封入することにより構成したものである（例えば、非特許文献１参照）。
【０００５】
画像表示装置の画像評価の重要な項目として輝度やコントラストがあるが、輝度向上を目的として前面板側に蛍光体を形成する例が開示されている（例えば、特許文献１参照）。
【非特許文献１】内池平樹、御子柴茂生共著、「プラズマディスプレイのすべて」（株）工業調査会、１９９７年５月１日、ｐ７９−ｐ８０
【特許文献１】特開平１１−２１３８９２号公報
【発明の開示】
【発明が解決しようとする課題】
【０００６】
ＰＤＰのさらなる高効率化、高画質化を達成するためには、輝度の向上とコントラストの改善を両立させることが重要である。従来の前面板に蛍光体を形成する方法では、蛍光体面積が増加することによって紫外線の利用効率を向上させて輝度を向上させることは可能であるが、放電に蛍光体が曝されることによって蛍光体特性の劣化しやすく、安定的に高い輝度を維持できないといった課題がある。また、前面板に形成された蛍光体によって前面板からの透過率が低下し、背面板からの発光の取り出し効率が低下するといった課題がある。
【０００７】
本発明はこれらの課題を解決し、高コントラストで高輝度のＰＤＰを実現することを目的とする。
【課題を解決するための手段】
【０００８】
上記目的を実現するために、本発明のＰＤＰは、少なくとも光遮蔽部と光遮蔽部を覆う誘電体層とを形成した前面板と、少なくとも隔壁を形成した背面板とを対向配置して内部に隔壁により仕切られた放電空間を形成するとともに、光遮蔽部に対応する誘電体層の上に第１蛍光体層のうちの少なくとも一つと同色に発光する第２蛍光体層を設けている。
【０００９】
このような構成により、第１蛍光体層と同色に発光する第２蛍光体層では、蛍光体面積が増えて紫外線利用効率を向上させ、第１蛍光体層と異なる発光色の第２蛍光体層は反射層として作用して発光の取り出し効率を向上させて輝度が向上し、さらに第２蛍光体層を光遮蔽部に設けているために高コントラストを実現することができる。
【００１０】
さらに、前面板は誘電体層を覆って誘電体保護膜を備え、第２蛍光体層を誘電体保護膜の上に設けることが望ましく、このような構成によれば、紫外線が誘電体保護膜によって吸収されることを抑制して、前面板に設けた第２蛍光体層での紫外線による発光を積極的に利用することができる。
【００１１】
さらに、第２蛍光体層が青色に発光する蛍光体層であることが望ましく、材料として他の色に比べて輝度の低い青色の輝度を向上させることができる。
【００１２】
さらに、前面板は透明電極と透明電極上に形成されたバス電極よりなる複数の表示電極対を備えるとともに、表示電極対の間にブラックストライプを備え、光遮蔽部がブラックストライプとバス電極のうちの少なくとも一つであることが望ましく、高コントラストで高輝度のＰＤＰを実現することができる。
【００１３】
さらに、第２蛍光体層を誘電体層上に設けるとともに、第１蛍光体層と異なる発光色の第２蛍光体層を覆って誘電体保護膜を設けることが望ましい。このような構成によれば、第１蛍光体層と異なる発光色の第１蛍光体層への紫外線の照射を抑制してその第２蛍光体層での発光を抑制し、混色を抑制するとともに、同一発光色の第２蛍光体層での発光を積極的に利用することができる。
【００１４】
さらに、隔壁を列方向または行方向の少なくとも一つの方向に形成し、第２蛍光体層を隔壁が前面板と接触しない領域に形成することが望ましい。このような構成によれば、隣接する放電セル間の放電のクロストークを抑制するとともに、さらに高輝度のＰＤＰを実現することができる。
【００１５】
さらに、隔壁を高さの異なる列方向隔壁と行方向隔壁とにより形成し、第２蛍光体層を隔壁が前面板と接触しない領域に形成することが望ましい。このような構成によれば、隣接する放電セル間の放電のクロストークを抑制するとともに、第２蛍光体層を高さの低い隔壁の上部に位置させて放電と第２蛍光体層とを近づけて輝度を高めることができる。
【発明の効果】
【００１６】
本発明のＰＤＰによれば、ＰＤＰのコントラストと輝度を同時に向上することができ、高画質なＰＤＰを実現することができる。
【発明を実施するための最良の形態】
【００１７】
以下、本発明の実施の形態におけるＰＤＰについて図面を用いて説明する。
【００１８】
（第１の実施の形態）
図１は、本発明の第１の実施の形態におけるＰＤＰの概略構成を示す断面斜視図である。図１に示すように、ＰＤＰ１０は、前面板２０と背面板３０とから構成されている。前面板２０は、フロート法による硼珪素ナトリウム系ガラスなどの前面ガラス基板２１上に、走査電極２２と維持電極２３とで対をなすストライプ状の複数の表示電極対２４が形成されている。また、隣接する表示電極対２４の間には、光遮蔽部となるブラックストライプ２５が形成されている。表示電極対２４とブラックストライプ２５とを覆って誘電体層２６を設け、さらに誘電体層２６を覆って酸化マグネシウム（ＭｇＯ）からなる誘電体保護膜２７が形成されている。図２は図１に示す前面板２０の構成を示す断面図であり、走査電極２２および維持電極２３は、それぞれ透明電極２２ａ、２３ａ、およびこの透明電極２２ａ、２３ａに電気的に接続されたＣｒ／Ｃｕ／ＣｒまたはＡｇなどからなるバス電極２２ｂ、２３ｂとから構成されている。バス電極２２ｂ、２３ｂもブラックストライプ２５と同様に光遮蔽部を構成している。
【００１９】
図１に示すように、背面板３０は、前面ガラス基板２１に対向配置される背面ガラス基板３１に、前面板２０の表示電極対２４と直交する方向に形成したアドレス電極３２と、そのアドレス電極３２を覆って下地誘電体層３３が設けられている。下地誘電体層３３上には、例えばストライプ状の隔壁３４が設けられ、隔壁３４の側面と下地誘電体層３３の表面に第１蛍光体層となる蛍光体層３５が設けられている。蛍光体層３５は隣接する隔壁３４によって仕切られた放電空間４０に、それぞれ赤色に発光する赤色蛍光体層３５Ｒ、緑色に発光する緑色蛍光体層３５Ｇ、青色に発光する青色蛍光体層３５Ｂが順に形成されている。
【００２０】
前面板２０に設けたブラックストライプ２５とバス電極２２ｂ、２３ｂとは、背面板３０の蛍光体層３５からの発光が遮蔽されるため、輝度や効率の低下の原因となっている。しかしながら、バス電極２２ｂ、２３ｂの金属部分は電極の抵抗を下げる目的から取り除くことはできず、また非常に重要なコントラストの関係からブラックストライプ２５も必須である。
【００２１】
また、図２は、本発明の第１の実施の形態におけるＰＤＰの前面板の構成を示す断面図である。本発明の実施の形態では、図２に示すように、光遮蔽部であるブラックストライプ２５に対応する誘電体層２６の上面の誘電体保護膜２７上に、第１蛍光体層としての赤色蛍光体層３５Ｒ、緑色蛍光体層３５Ｇ、青色蛍光体層３５Ｂのうちの少なくとも一つと同色に発光する第２蛍光体層２８を設けている。すなわち、ＰＤＰ１０を前面板２０側からみた場合に、ブラックストライプ２５によって黒色の帯が形成されているが、ブラックストライプ２５の領域を覆うようにその下部に反射層になる第２蛍光体層２８が設けられている。
【００２２】
前面板２０と背面板３０とを、表示電極対２４とアドレス電極３２とが直交し、内部に微小な放電空間４０を形成するように隔壁３４を挟んで対向配置するとともに、周囲を封着部材により封止している。放電空間４０にはネオンおよびキセノンなどを混合した放電ガスを６６５００Ｐａ（５００Ｔｏｒｒ）程度の圧力で封入している。アドレス電極３２、表示電極対２４に印加する周期的な電圧によって放電を発生させ、この放電による紫外線を蛍光体層３５に照射して可視光に変換させることにより画像表示を行っている。
【００２３】
図３は、本発明の第１の実施の形態におけるＰＤＰ１０の画像表示部の構成を示す平面図であり、前面板２０側からの平面図である。図３に示すように、走査電極２２と維持電極２３は、マトリクス表示の各ラインにおいて放電ギャップ５０を挟んで隣接するように列方向に交互に配列されている。ここで、ＰＤＰ１０の内部空間の、隔壁３４によって区画され表示電極対２４とアドレス電極３２とが直交する部分に、単位発光領域である放電セル５１を形成する。また、隣接する表示電極対２４の非発光領域５２には、コントラストを向上させる目的のブラックストライプ２５が形成され、このブラックストライプ２５に対応する誘電体保護膜２７の上に、第２蛍光体層２８が形成されている。
【００２４】
ＰＤＰにおいてはさらなる輝度の向上が不可欠であるが、従来のＰＤＰの構成では前面板側で維持放電を行い、背面板に蛍光体を形成する反射型の手法が用いられている。したがって、放電で発生する紫外線は背面板側に向かう約５０％のみが背面板側に設けた蛍光体に到達して発光に利用される。残りの前面板側に放射される約５０％の紫外線は蛍光体を発光させることがなく、ＰＤＰの発光効率が低い原因の一つとなっている。前述したように、前面板に蛍光体を形成する手法が知られているが、表示電極対間の放電領域に蛍光体を形成すると、放電により生じたイオンが蛍光体に衝突するために著しく蛍光体が劣化する課題が生じた。また、前面板に形成した蛍光体により前面板の透過率が低下し背面板側からの発光の取り出し効率が低下する課題が生じた。
【００２５】
一方、本発明の第１の実施の形態におけるＰＤＰにおいては、図２、図３に示すように光遮蔽部であるブラックストライプ２５に対応する誘電体層２６の上面の誘電体保護膜２７上に、第１蛍光体層としての赤色蛍光体層３５Ｒ、緑色蛍光体層３５Ｇ、青色蛍光体層３５Ｂのうちの少なくとも一つと同色に発光する第２蛍光体層２８を設けている。
【００２６】
この手法を用いると、第１蛍光体層である赤色蛍光体層３５Ｒ、緑色蛍光体層３５Ｇ、青色蛍光体層３５Ｂの発光色とブラックストライプ２５の下部に設けた第２蛍光体層２８との発光色が同じ放電セルでは、前面板２０側への紫外線によって第２蛍光体層２８が励起され紫外線の利用効率を向上させて輝度を上げることができる。また、従来は背面板３０からの発光光はブラックストライプ２５で吸収されていたが、本実施の形態のように第２蛍光体層２８を形成することにより、発光光を再度背面板３０側に反射させて、発光光の取り出し効率を向上させて輝度を向上することができる。なお、第２蛍光体層２８を形成する蛍光体は粉末であり、１以上の屈折率を有するため、反射膜としての作用をする。蛍光体層の膜厚を５μｍ、１０μｍ、１５μｍと増加させることによって反射効果が増加し、輝度が増加する。また、本実施の形態では第２蛍光体層２８を、非放電領域となるブラックストライプ２５の下部に形成しているため、放電のイオンの衝突による第２蛍光体層２８の蛍光体の劣化を抑制することができる。
【００２７】
なお、上記のブラックストライプ２５の下部に設けた第２蛍光体層２８は背面板３０側に設けた３色の蛍光体層のうちの一つの発光色と同じ蛍光体層である。したがって、放電セルによっては背面板３０側の蛍光体層と第２蛍光体層２８との発光色が異なるが、混色が発生しないように設計することが可能であるとともに、第２蛍光体層２８を反射層として利用し、取り出し効率を向上させて輝度向上を図ることも可能である。
【００２８】
（第２の実施の形態）
図４は本発明の第２の実施の形態におけるＰＤＰの画像表示部の構成を示す平面図であり、前面板側からの平面図である。また、図５は、図４における前面板のＢ−Ｂ線断面を示す断面図であり、図６は同じくＣ−Ｃ線断面を示す断面図である。ＰＤＰの構成は第１の実施の形態と同様であり、図４、図５、図６に示すように、第２蛍光体層６０を前面板２０のブラックストライプ２５のうちの特定の色に対応する領域にのみに形成している。
【００２９】
本実施の形態では、背面板３０側の放電空間に青色蛍光体層３５Ｂが形成された放電セルに対応する領域のみに、第２蛍光体層６０としての青色蛍光体層を設け、蛍光体のうち他の蛍光体に比べて輝度が低い青色の輝度を向上させることを目的としている。
【００３０】
このような構成によれば、青色蛍光体層３５Ｂが設けられた放電セルにおいて、第１の実施の形態で述べたように、紫外線の利用効率と発光光の取り出し効率とを向上させて輝度を高めることが可能となる。したがって、各色の隔壁ピッチを同一にすることができるなど、ＰＤＰの製造を容易にすることができる。
【００３１】
（第３の実施の形態）
図７は本発明の第３の実施の形態におけるＰＤＰの画像表示部の構成を示す平面図であり、前面板側からの平面図である。ＰＤＰの構成は第１の実施の形態と同様であるが、第２蛍光体層６１、６２、６３をそれぞれ各色蛍光体層の蛍光体により形成している。
【００３２】
すなわち、背面板３０の赤色蛍光体層３５Ｒ、緑色蛍光体層３５Ｇ、青色蛍光体層３５Ｂが設けられた放電空間４０の放電セルに５１に対応して、赤色に発光する第２蛍光体層６１、緑色に発光する第２蛍光体層６２、青色に発光する第２蛍光体層６３が前面板２０のブラックストライプ２５に対応する領域に形成されている。
【００３３】
このような構成によれば、第１の実施の形態や第２の実施の形態で述べたのと同様の作用により、各色の紫外線の利用効率と発光光の取り出し効率とを向上させてＰＤＰの全体の輝度を向上させることができる。
【００３４】
（第４の実施の形態）
図８は本発明の第４の実施の形態におけるＰＤＰの前面板の構成を示す断面図であり、表示電極対２４に直交した断面である。ＰＤＰの構成は第１の実施の形態と同様であるが、前面板２０の光遮蔽部となるバス電極２２ｂ、２３ｂに対応する領域にも第２蛍光体層を設けている。
【００３５】
すなわち、図８に示すように、透明電極２２ａ、２３ａ上に形成されたバス電極２２ｂ、２３ｂもブラックストライプ２５と同様に光遮蔽部となる。そこで、本実施の形態では、バス電極２２ｂ、２３ｂに対応する誘電体保護膜２７上に、ブラックストライプ２５に対応する誘電体保護膜２７上に設けた第２蛍光体層７０と同じ第２蛍光体層７１を設けている。また、これらの第２蛍光体層７０、７１は第１の実施の形態で述べたのと同様に、赤色蛍光体層３５Ｒ、緑色蛍光体層３５Ｇ、青色蛍光体層３５Ｂのうちの一つの蛍光体であってもよいし、第３の実施の形態で述べたように各色の放電セルに対応した各色の蛍光体であってもよい。
【００３６】
このような構成によれば、ブラックストライプ２５に加えて、光遮光部となるバス電極２２ｂ、２３ｂにも第２蛍光体層７１を設けることにより、さらに、紫外線の利用効率と発光光の取り出し効果を高め、さらなる輝度向上を実現することができる。
【００３７】
また、図９は、本発明の第４の実施の形態におけるＰＤＰの他の実施例を示す前面板の断面図である。図９においては、ブラックストライプ２５とバス電極２２ｂ、２３ｂとを共用の材料を用いて形成した場合について示している。図９に示すように、ブラックストライプ２５とバス電極２２ｂ、２３ｂのうちの黒色層７２とを同一の材料で構成し、隣接する走査電極２２、維持電極２３とブラックストライプ２５との間に間隙がない場合には、第２蛍光体層７３を隣接するバス電極２２ｂとバス電極２３ｂとに渡って形成することができる。
【００３８】
したがって、輝度を高める効果に加え、アライメント精度に対するマージンを広く取ることができるとともに、第２蛍光体層７３の前面板２０への形成を容易にすることができる。
【００３９】
（第５の実施の形態）
図１０は、本発明の第５の実施の形態におけるＰＤＰの背面板の構成を示す斜視図、図１１は同ＰＤＰの画像表示部の構成を示す平面図、さらに、図１２は同ＰＤＰの図１１におけるＤ−Ｄ線断面図である。
【００４０】
図１０に示すように、本実施の形態におけるＰＤＰの背面板８０は隔壁３４として、列方向隔壁３４ａと行方向隔壁３４ｂとで構成されて、放電空間が枡形に仕切られている。隣接する列方向隔壁３４ａで仕切られた放電空間には、それぞれ赤色蛍光体層３５Ｒ、緑色蛍光体層３５Ｇ、青色蛍光体層３５Ｂが形成されている。さらに、行方向隔壁３４ｂの高さを列方向隔壁３４ａよりも低くなるように構成している。なお、図１２においては上記の蛍光体層３５は図示していない。
【００４１】
また、図１１、図１２に示すように前面板２０のブラックストライプ２５に対応し、背面板８０の行方向隔壁３４ｂ上に位置し、隣接する列方向隔壁３４ａ間の誘電体保護膜２７上には、第２蛍光体層８１、８２、８３が形成されている。したがって、第２蛍光体層８１、８２、８３を列方向隔壁３４ａが前面板２０と接触しない領域に形成している。また、第２蛍光体層８１を背面板３０側の赤色蛍光体層３５Ｒ、第２蛍光体層８２を緑色蛍光体層３５Ｇ、第２蛍光体層８３を青色蛍光体層３５Ｂと同じ蛍光体によって形成している。
【００４２】
本発明の第１の実施の形態で述べたように、図２に示すような第２蛍光体層２８では第２蛍光体層２８がかまぼこ状に盛り上がり、背面板３０の隔壁３４と接触するため、各放電セル間の行方向に第２蛍光体層２８の膜厚分の隙間ができて放電のクロストークが発生する。
【００４３】
しかしながら、本発明の第５の実施の形態によれば、前面板２０に設けた第２蛍光体層８１、８２、８３を前面板２０と隔壁３４とが接触しない領域に設けているために、列方向隔壁３４ａの隙間によって発生するクロストークを抑制する。さらに、高さの低い行方向隔壁３４ｂを第２蛍光体層８１、８２、８３の膜厚によって狭くして、隣接する放電セル間のクロストークを抑制することができる。したがって、放電セル間のクロストークを抑制し、さらに前面板２０に蛍光体を付与することによってより高輝度のＰＤＰを実現することができる。さらに、前面板２０に設ける第２蛍光体層８１、８２、８３をそれぞれの背面板３０の各色蛍光体層に対応した蛍光体にしているため、行方向隔壁３４ｂ上に設けた第２蛍光体層８１、８２、８３と放電との距離が近くなり、より高輝度を実現することが可能となる。
【００４４】
さらに、本発明の第５の実施の形態によれば、隔壁３４を列方向隔壁３４ａと行方向隔壁３４ｂとの格子状隔壁としているため、枡形に形成される放電空間のサイズを任意に変えることができ、前面板２０に第２蛍光体層を形成した場合の赤色、緑色、青色の輝度や色のバランスを調整することができる。
【００４５】
なお、以上の実施の形態では第２蛍光体層を誘電体保護膜上に形成しているが、その理由は、誘電体保護膜を形成するＭｇＯ（酸化マグネシウム）が紫外線を吸収するためであり、前面板に設けた第２蛍光体層での紫外線による発光を積極的に利用する目的のためには、第２蛍光体層をＭｇＯの誘電体保護膜上に形成することが望ましいからである。
【００４６】
（第６の実施の形態）
図１３は、本発明の第６の実施の形態におけるＰＤＰの前面板の断面図である。第１の実施の形態から第５の実施の形態までは、前面板２０に設けた第２蛍光体層を、前面板２０の誘電体保護膜２７上に形成していた。本発明の第６の実施の形態では、図１３に示すように、第２蛍光体層９０、９１を誘電体層２６上に設けるとともに、背面板の蛍光体層と異なる発光色の第２蛍光体層９１を覆って誘電体保護膜９２を設けている。すなわち、同色の発光をする背面板の蛍光体層に対応する第２蛍光体層９０を放電空間に露出した構成とし、それ以外の第２蛍光体層９１は誘電体保護膜９２で被覆した構成としている。
【００４７】
なお、誘電体保護膜９２は紫外線を吸収する。したがって、前面板２０に設けた第２蛍光体層のうちの背面板の蛍光体層と発光色が異なる第２蛍光体層９１を誘電体保護膜９２で覆うことによって、第２蛍光体層９１への紫外線照射を抑制し、その発光を抑制することができる。そのため、混色をより抑制することができる。一方、誘電体保護膜９２に被覆されていない第２蛍光体層９０では紫外線による発光が促進されて紫外線利用効率を高めることができる。
【産業上の利用可能性】
【００４８】
以上のように、本発明のＰＤＰによると、高いコントラストと高い輝度を実現することが可能となり、大画面の画像表示装置として有用である。
【図面の簡単な説明】
【００４９】
【図１】本発明の第１の実施の形態におけるＰＤＰの概略構成を示す断面斜視図
【図２】同ＰＤＰの前面板の構成を示す断面図
【図３】同ＰＤＰの画像表示部の構成を示す平面図
【図４】本発明の第２の実施の形態におけるＰＤＰの画像表示部の構成を示す平面図
【図５】図４における前面板のＢ−Ｂ線断面図
【図６】図４における前面板のＣ−Ｃ線断面図
【図７】本発明の第３の実施の形態におけるＰＤＰの画像表示部の構成を示す平面図
【図８】本発明の第４の実施の形態におけるＰＤＰの前面板の構成を示す断面図
【図９】同ＰＤＰの前面板の他の実施例の構成を示す断面図
【図１０】本発明の第５の実施の形態におけるＰＤＰの背面板の構成を示す斜視図
【図１１】同ＰＤＰの画像表示部の構成を示す平面図
【図１２】図１１におけるＤ−Ｄ線断面図
【図１３】本発明の第６の実施の形態におけるＰＤＰの前面板の構成を示す断面図
【符号の説明】
【００５０】
１０    ＰＤＰ
２０    前面板
２１    前面ガラス基板
２２    走査電極
２２ａ，２３ａ    透明電極
２２ｂ，２３ｂ    バス電極
２３    維持電極
２４    表示電極対
２５    ブラックストライプ
２６    誘電体層
２７，９２    誘電体保護膜
２８，６０，６１，６２，６３，７０，７１，７３，８１，８２，８３，９０，９１    第２蛍光体層
３０，８０    背面板
３１    背面ガラス基板
３２    アドレス電極
３３    下地誘電体層
３４    隔壁
３４ａ    列方向隔壁
３４ｂ    行方向隔壁
３５    蛍光体層
３５Ｒ    赤色蛍光体層
３５Ｇ    緑色蛍光体層
３５Ｂ    青色蛍光体層
４０    放電空間
５０    放電ギャップ
５１    放電セル
５２    非発光領域
７２    黒色層
【図１】
2006351262.tif 000003
【図２】
2006351262.tif 000004
【図３】
2006351262.tif 000005
【図４】
2006351262.tif 000006
【図５】
2006351262.tif 000007
【図６】
2006351262.tif 000008
【図７】
2006351262.tif 000009
【図８】
2006351262.tif 000010
【図９】
2006351262.tif 000011
【図１０】
2006351262.tif 000012
【図１１】
2006351262.tif 000013
【図１２】
2006351262.tif 000014
【図１３】
2006351262.tif 000015